(57)【要約】【課題】訪問者が被訪問者に訪問許可を受ける際に正確な認証が行えるエレベータ制御システムにおけるセキュリティ制御装置を提供する。【解決手段】エレベータ制御システムにおいて、各利用者の認証情報に対応する呼び登録許可階を記憶し、利用者の認証情報を読み取り、読み取った認証情報に対応する呼び登録許可階に基づき、利用者の入力した呼び登録の目的階が呼び登録許可階である場合に、該目的階への呼び登録を許可するセキュリティ制御装置であって、入力された、利用者である訪問者の認証情報と利用者である被訪問者の居住階に関連付けた情報を含む訪問伺いと、前記訪問伺いに対する被訪問者の認証情報を含む訪問許可とに基づき、訪問者の認証情報に対応する呼び登録許可階として、被訪問者の居住階を追加して記憶する。【選択図】図１
2008114950.tif 000002
【特許請求の範囲】
【請求項１】
エレベータ制御システムにおいて、各利用者の認証情報に対応する呼び登録許可階を記憶し、利用者の認証情報を読み取り、読み取った認証情報に対応する呼び登録許可階に基づき、利用者の入力した呼び登録の目的階が呼び登録許可階である場合に、該目的階への呼び登録を許可するセキュリティ制御装置であって、
入力された、利用者である訪問者の認証情報と利用者である被訪問者の居住階に関連付けた情報を含む訪問伺いと、前記訪問伺いに対する被訪問者の認証情報を含む訪問許可とに基づき、訪問者の認証情報に対応する呼び登録許可階として、被訪問者の居住階を追加して記憶することを特徴とするセキュリティ制御装置。
【請求項２】
各利用者の認証情報に対応する呼び登録許可階を記憶し、利用者の認証情報を読み取り、読み取った認証情報に対応する呼び登録許可階に基づき、利用者の入力した呼び登録の目的階が呼び登録許可階である場合に、エレベータ制御装置に該目的階への呼び登録を許可するセキュリティ制御装置を設けたエレベータ制御システムであって、
前記セキュリティ制御装置が、入力された、利用者である訪問者の認証情報と利用者である被訪問者の居住階に関連付けた情報を含む訪問伺いと、前記訪問伺いに対する被訪問者の認証情報を含む訪問許可とに基づき、訪問者の認証情報に対応する呼び登録許可階として、被訪問者の居住階を追加して記憶することを特徴とするエレベータ制御システム。
【請求項３】
前記セキュリティ制御装置が、読取機及び各利用者の通信用端末と通信可能に接続されており、前記読取機により利用者の認証媒体内の認証情報を読み取り、訪問者の通信用端末から訪問伺いが入力されると、被訪問者の通信用端末に訪問者からの訪問伺い通知を送り、被訪問者の通信用端末からの前記訪問伺いに対する訪問許可に基づき訪問者の認証情報に対応する呼び登録許可階として、被訪問者の居住階を追加して記憶することを特徴とする請求項２に記載のエレベータ制御システム。
【請求項４】
訪問者の通信用端末からの訪問伺いが訪問者人数を含み、
セキュリティ制御装置が、被訪問者の通信用端末からの前記訪問伺いに対する訪問許可に基づき、該訪問者の認証情報に対応する該被訪問者の居住階である許可階床番号と許可された訪問者人数をさらに記憶し、入力された呼び登録の目的階が呼び登録許可階であり、かごに乗車した人数が、前記目的階に当たる前記許可階床番号での前記訪問者人数以下である場合に、エレベータ制御装置に該目的階への呼び登録を許可することを特徴とする請求項３に記載のエレベータ制御システム。
【請求項５】
訪問者が通信用端末に入力する被訪問者の居住階に関連付けた情報として被訪問者の部屋番号および居住者名の少なくとも１つを含み、前記セキュリティ制御装置が、各利用者の認証情報に対応して部屋番号、居住者名、居住階をそれぞれ記憶し、部屋番号又は居住者名から被訪問者の居住階を求めることを特徴とする請求項３または４に記載のエレベータ制御システム。
【請求項６】
セキュリティ制御装置が、訪問者の認証情報に対応する一時的な呼び登録許可階として、被訪問者の居住階を追加して記憶することを特徴とする請求項３に記載のエレベータ制御システム。
【請求項７】
セキュリティ制御装置が、目的階が被訪問者から許可を受けて追加して記憶した呼び登録許可階である場合に、呼び登録を完了した際に、該呼び登録許可階を削除することを特徴とする請求項６に記載のエレベータ制御システム。
【請求項８】
訪問伺いに対する被訪問者からの訪問伺い受信拒否の応答に基づき、セキュリティ制御装置が、訪問伺い受信拒否に基づき各利用者に関して特定の利用者からの訪問伺い受信拒否に関する情報を記憶し、該当する訪問伺いの被訪問者への通知を行わないことを特徴とする請求項３から７までのいずれか１項に記載のエレベータ制御システム。
【請求項９】
被訪問者の通信用端末から訪問者に対して訪問許可が入力されると、セキュリティ制御装置がこれを記憶し、訪問者の通信用端末から被訪問者の居住階に関連付けた情報が入力されると、被訪問者の事前の許可に基づき、訪問者の認証情報に対応する呼び登録許可階として、被訪問者の居住階を追加して記憶することを特徴とする請求項３から８までのいずれか１項に記載のエレベータ制御システム。
【請求項１０】
セキュリティ制御装置は、通信用端末から被訪問者の居住階に関連付けた情報が入力されると訪問伺いを蓄積し、被訪問者の通信用端末に訪問者からの訪問伺いがあることを通知し、被訪問者の通信用端末からの要求に基づいて訪問伺いを送り、被訪問者の通信用端末から訪問許可が入力されると、訪問者の認証情報に対応する呼び登録許可階として、該被訪問者の居住階を追加して記憶することを特徴とする請求項３から９までのいずれか１項に記載のエレベータ制御システム。
【請求項１１】
前記セキュリティ制御装置が、各利用者の認証情報に対応する居住階をさらに記憶すると共に、読取機に接続され、前記読取機で読み取った訪問者及び被訪問者のそれぞれの認証媒体内の認証情報から生成した訪問伺いと訪問許可に基づき、訪問者の認証情報に対応する呼び登録許可階として、被訪問者の居住階を追加して記憶することを特徴とする請求項２に記載のエレベータ制御システム。
【発明の詳細な説明】
【技術分野】
【０００１】
本発明は、エレベータ制御システムにおいて呼び登録にセキュリティをかけるためのセキュリティ制御装置及びこれを含むエレベータ制御システムに関する。
【背景技術】
【０００２】
マンションやオフィスビル、ホテルなどの建物に設置されたエレベータの運転制御を行うエレベータ制御システムでは、居住者やテナントの安全性確保、財産保護のため、認証媒体によるエレベータの利用権審査によるエレベータの運行を行う。この利用権審査は、例えば、予め居住者にはＩＣカードなどの認証媒体を配布しておき、エレベータの利用時に、その認証媒体に保存した認証情報をエレベータ側で読み取り、これが予め登録した認証情報である場合に、利用者に対してエレベータの利用を許可し、エレベータの操作釦による乗場での乗場呼び登録や、かご内での目的階への呼び登録を許可するような仕組みをいう。
【０００３】
また別の利用権審査として、訪問者に対して利用権をその場限りのエレベータの利用権を付与するとともに、被訪問者の居住階だけへの呼び登録を許可するような仕組みが提案されている。
【０００４】
例えば下記の特許文献１に記載の従来のエレベータ制御システムでは、建物の外からの来訪者と建物内の居住者とがインターフォンなどの通話装置を介して通話したとき、通話装置は居住者の居住階信号を出力する。また、居住者が来訪者の乗り込み許可を与えたときは乗り込み許可手段は乗り込み許可信号を出力する。不停止状態切り換え装置は、乗り込み許可手段からの乗り込み許可信号を受けて、通話装置からの居住階信号の示す階を、エレベータがサービスしない不停止状態からエレベータが停止可能な状態へと切り換える。これにより、訪問先の居住者階への不停止状態が解除される。また乗り込み許可信号を一定時間出力状態とすることで、通話装置での訪問者と居住者との通話終了後でも、訪問先の居住者階への不停止状態を解除しておける。
【０００５】
さらに、エレベータ制御システムに対するセキュリティの要求は多様化しており、居住者であっても、例えば玄関階と居住階のみの限られた階のみしか利用できないようにして、マンション内を無制限かつ自由な移動を制限するような仕組みも求められている。しかしながらこのような居住者の階床間の移動の制限は安全性の向上には寄与しても、例えば回覧板を渡すなどの必要な移動も同時に制限するため、利便性を著しく低下させる。
【０００６】
このようなセキュリティの要求を先のエレベータ制御システムで満たそうとすると、例えば各住戸にインターフォンなどの通話装置を備え、建物内の訪問者と建物内の被訪問者とが通話装置を介して通話したとき、被訪問者の通話装置からの居住階信号の示す階を、エレベータがサービスしない不停止状態からエレベータが停止可能な状態へと切り換えることで、訪問先の居住者階への不停止状態が解除される。
【０００７】
【特許文献１】特開２０００−１７７９３８号公報
【発明の開示】
【発明が解決しようとする課題】
【０００８】
しかしながらこのような仕組みでは、通話装置による訪問者と被訪問者間の通話に基づき乗り込み許可信号を出力するため、被訪問者が訪問者を認識する手段が音声のみであるため、訪問者の身体的特性や、訪問者との親密さによっては、訪問者を正確に認証できないという課題があった。
【０００９】
その他、通話装置による訪問者と被訪問者間の通話が成立しない限り乗り込み許可信号が出力されず、許可を受けるために、訪問者と被訪問者が同時にマンション内に存在しなければならない、さらに、訪問者と被訪問者間で通話が成立して許可を受けた後から一定期間、不停止状態が解除されるため、乗り込み許可中に本来意図しない居住者が乗り込んでしまうこと、あるいは意図した人以外の意図しない居住者が同乗してしまうことにより、許可しない居住者が被訪問者の居住階で降車するという課題があった。
【００１０】
本発明は上記のような課題を解決するためのものであって、上記許可を受ける際の正確な認証を行うこと等を可能にしたセキュリティ制御装置及びこれを含むエレベータ制御システムを提供することを目的とする。
【課題を解決するための手段】
【００１１】
本発明は、エレベータ制御システムにおいて、各利用者の認証情報に対応する呼び登録許可階を記憶し、利用者の認証情報を読み取り、読み取った認証情報に対応する呼び登録許可階に基づき、利用者の入力した呼び登録の目的階が呼び登録許可階である場合に、該目的階への呼び登録を許可するセキュリティ制御装置であって、入力された、利用者である訪問者の認証情報と利用者である被訪問者の居住階に関連付けた情報を含む訪問伺いと、前記訪問伺いに対する被訪問者の認証情報を含む訪問許可とに基づき、訪問者の認証情報に対応する呼び登録許可階として、被訪問者の居住階を追加して記憶することを特徴とするセキュリティ制御装置にある。
【発明の効果】
【００１２】
本発明では、訪問者が被訪問者に訪問許可を受ける際に正確な認証が行えるセキュリティ制御装置及びこれを含むエレベータ制御システムを提供することができる。
【発明を実施するための最良の形態】
【００１３】
実施の形態１．
本実施の形態のエレベータ制御システムは、利用者がかご内のかご呼び操作盤のかご呼び釦を押すと、この利用者のかごからの呼び登録要求を受け取ったエレベータ制御盤が、戸閉、目的階へのかごの移動などを制御する。マンションの居住者に、その居住階と玄関階のみの呼び登録を許可する。このため、居住者を特定できない状態では、かご呼び操作盤の呼び登録釦の操作は全て無効である。利用者の認証媒体により、エレベータ側が居住者を認証することで、エレベータは呼び登録を有効にする。この認証は、非接触ＩＣカードなどの認証媒体に格納した認証情報を、エレベータのかご内の読取機に読み取らせ、予めエレベータ側に記録した居住者情報と比較して、認証媒体の保持者が居住者であることを判定することで行う。エレベータは、居住者を認証すると許可した居住者の居住階と玄関階の呼び登録を有効にする。利用者は、かご呼び釦を押すことで、目的階を指令する。
【００１４】
また、本実施の形態のエレベータ制御システムは、既定の居住者の居住階と玄関階以外に、呼び登録が可能な階を追加することができる。これは訪問者に対して被訪問者から与える許可にもとづき被訪問者の居住階を呼び登録許可階として登録するもので、エレベータは、許可を受けるための訪問者からの伺いと被訪問者からの許可との手続きを仲介する。エレベータは認証した居住者について、この呼び登録許可階にもとづき呼び登録釦を有効にする。
【００１５】
なおこのような、ある階床について利用者の呼び登録を無効にすることをサービスカットと呼び、サービスカットの階床について呼び登録を有効にした状態をサービスカット解除と呼ぶこととする。
本実施の形態のエレベータ制御システムは、通常状態で全ての階床についてサービスカット状態にしており、エレベータが利用者を認証すると、エレベータは、その利用者の呼び登録許可階に対して一時的にサービスカット解除を行う。
【００１６】
以下、本発明によるエレベータ制御システムをマンション(集合住宅)に適用した場合について説明するが、オフィスビル、ホテル、研修施設、教育・研究施設等、その他の種類の建造物にも適用可能である。
【００１７】
図１は本発明の一実施の形態によるエレベータ制御システムの構成図である。マンション１０９には、本発明のエレベータ制御システムが適用されている。エレベータかご(以下かご)１１０は、エレベータの利用者１１５を乗車させ、上昇、下降して利用者１１５を階間で移動させる。エレベータ制御盤１１１は、エレベータを制御する機器を収納している。共用設備盤１１２は、マンションに設置したインターフォンや宅配ロッカーなど共用設備に関連する装置を収納している。訪問者住戸１１３は、訪問者が居住する住戸である。被訪問者住戸１１４は、被訪問者が居住する住戸である。
【００１８】
かご１１０内にはかご呼び操作盤１０２と読取機１０４、エレベータ制御盤１１１にはエレベータ制御装置１０１とセキュリティ制御装置１０５、共用設備盤１１２には通信装置１０６、訪問者住戸１１３には通信用端末である訪問伺い端末１０７、被訪問者住戸１１４には通信用端末である訪問許可端末１０８がそれぞれ設けられ、これらは通信線ＣＯで接続されている。なお、訪問伺い端末１０７と訪問許可端末１０８にも後述するように読取部がある。またこれらの端末は説明上、名称を変えてあるが、基本的には同じ構成、機能を有する通信用端末である。さらにこの通信用端末は図示は省略されているがマンション１０９の各住戸に設けられており、具体的には、例えばインターフォンやＩＰインターフォンの端末(子機)からなる。
【００１９】
エレベータ制御装置１０１は、エレベータ制御用の各種センサからの入力や、各階床の乗場に設けられた乗場呼び操作盤の乗場呼び釦やかご１１０内のかご呼び操作盤１０２のかご呼び釦等の利用者１１５の釦操作による呼び登録のための入力に基づき、かごの昇降、扉の開閉、インジケータの点灯制御等、エレベータ全体の運転制御を行う。
【００２０】
かご呼び操作盤１０２は、利用者１１５がエレベータの目的階を指示するかご呼び釦等からなる入力装置であると同時に、利用者に応じて呼び登録可能な階床を利用者に通知、または呼び登録した階や決定した目的階を表示や音声で通知する出力装置である。
【００２１】
認証媒体１０３は、エレベータの利用者１１５が携帯する該利用者を特定する認証情報を格納するもので、例えばカード等からなる。読取機１０４は、認証媒体１０３に格納した利用者の認証情報を読み取る。
【００２２】
セキュリティ制御装置１０５は、利用者からの訪問伺いと訪問許可に際し、利用者の呼び登録許可階の更新を行うとともに、エレベータの運行に際し、読取機１０４を介した認証媒体１０３の読み取りによる利用者の認証、利用者の呼び登録許可階に基づくエレベータ制御装置１０１へのサービスカット解除指示などを行う。
【００２３】
訪問者住戸１１３にある訪問伺い端末１０７は、訪問者が操作する端末であり、被訪問者の居住する階床に関連付けた情報と訪問者自身に関連付けた情報とから、被訪問者の居住する階床への訪問伺いを作成し、セキュリティ制御装置１０５に送信する。
【００２４】
また被訪問者住戸１１４にある通信用端末である訪問許可端末１０８は、被訪問者が操作する端末であり、セキュリティ制御装置１０５から、訪問伺いを受信して、伺いに対する結果を作成して、セキュリティ制御装置１０５に送信する。
【００２５】
セキュリティ制御装置１０５は、訪問者と被訪問者間の訪問伺いと許可の手続きに際し、次のことを行う。まず、訪問伺い端末１０７から受信した訪問伺いの被訪問者の居住する階床に関連付けた情報から、被訪問者の訪問許可端末１０８と、被訪問者の居住する階床を特定し、同じく訪問伺い端末１０７から受信した訪問者自身に関連付けた情報から訪問者を特定し、被訪問者の訪問許可端末１０８に訪問者の情報を含む訪問伺いを送信する。さらに訪問許可端末１０８から受信した伺いに対する結果が許可である場合に、訪問者の呼び登録許可階に被訪問者の居住する階床を追加する。
【００２６】
通信装置１０６は、セキュリティ制御装置１０５、訪問伺い端末１０７と訪問許可端末１０８との間の訪問伺いや伺いに対する結果などのメッセージ情報通信を行う。ここで通信装置１０６は、本実施の形態で示すメッセージ情報を伝達可能な装置であれば良く、例えばＨＴＴＰプロキシや、ルータやハブやスイッチ、ＲＳ２３２分配器、ＵＳＢハブ等の通信装置である。
【００２７】
図２は図１のセキュリティ制御装置１０５の構成の一例を示す図である。セキュリティ制御装置１０５は、制御部１０５１、タイマ部１０５２、データ記憶部１０５３、エレベータ制御装置通信部１０５４、読取機通信部１０５５、端末通信部１０５６を含む。
【００２８】
制御部１０５１は、予め記憶されているプログラムに従ってセキュリティ動作制御を行う。タイマ部１０５２は制御部１５０１における時間の制御を行う。データ記憶部１０５３は、制御部１５０１からの制御によりデータを記憶する書き換え可能なメモリからなる。エレベータ制御装置通信部１０５４、読取機通信部１０５５、端末通信部１０５６は、エレベータ制御装置１０１、読取機１０４、端末１０７，１０８との間でそれぞれデータを送受信する。
【００２９】
図３は図１の訪問伺い端末１０７及び訪問許可端末１０８の構成の一例を示す図である。本実施の形態では、訪問伺い端末１０７及び訪問許可端末１０８はインターフォンで構成される。端末１０７，１０８はそれぞれ、キー入力部１０７２、表示部１０７３、音声入出力部１０７４、インターフォン制御部１０７５、有線通信部１０７６、データ記憶部１０７７、非接触ＩＣカード読取部１０７８を含む。
【００３０】
キー入力部１０７２は、利用者１１５が操作するキーであり、数字や文字、入力対象の変更などの入力を受け付ける。表示部１０７３は、利用者１１５に伝える情報を表示する。音声入出力部１０７４は、インターフォン間通話のための音声の入出力、あるいは音声ガイダンスの出力、音声による操作のための入力など、音声を入力あるいは出力する。インターフォン制御部１０７５は、予め記憶されているプログラムに従ってインターフォン制御を行う。有線通信部１０７６は、インターフォン同士の通話のための通信確立、維持、切断、また音声の変換、セキュリティ制御装置１０５とのデータ送受信を行う。データ記憶部１０７７は、インターフォン制御部１０７５の演算結果や、部屋番号などのインターフォン固有の機器データを記憶する。非接触ＩＣカード読取部１０７８は、認証媒体１０３に格納されている利用者の認証情報の読み取りを行う。
【００３１】
図４は図１の認証媒体１０３の構成の一例を示す図である。本実施の形態では、認証媒体１０３は、非接触ＩＣカードで構成される。認証媒体１０３は無線通信部１０３２、カード記憶部１０３３を含む。無線通信部１０３２は、電磁気や光等による短距離無線通信である非接触ＩＣカード通信によって、読取機との間でカード記憶部１０３３に格納されたデータの読み書き(読み取りだけでも可)を行うための無線インタフェースである。カード記憶部１０３３は、読取機が読み書き(読み取りだけでも可)するデータを格納するメモリである。認証情報の複製や不正な第三者からの読み取りを禁止するため、例えば、無線通信部１０３２は、通信の開始に当たって通信相手の読取機と相互認証を行い、また通信を暗号化する機能を備え得る。
【００３２】
図５は図１のかご呼び操作盤１０２の構成の一例を示す図である。エレベータが５階床に停止する場合、かご呼び操作盤１０２は、戸開釦１０２１、戸閉釦１０２２、かご呼び釦(１)１０２３、かご呼び釦(２)１０２４、かご呼び釦(３)１０２５、かご呼び釦(４)１０２６、かご呼び釦(５)１０２７を含む。戸開釦１０２１は扉を開けること、戸閉釦１０２２は扉を閉めること、各かご呼び釦１０２３〜１０２７はかご呼び釦の示す階床への呼び登録を示し、利用者１１５が釦を操作することで、該釦のスイッチがＯＮになり、エレベータ制御装置１０１に対応した要求を示す信号を送る。また各かご呼び釦は、点灯・消灯するＬＥＤなどを内蔵しており、このＬＥＤの点灯状態で、エレベータ制御装置１０１から利用者１１５へエレベータの状態を通知する。通知するエレベータの状態と通知方法としては例えば、(１)利用者１１５が呼び登録可能な階床を、呼び登録可能な階床に対応したかご呼び釦のＬＥＤを点滅して通知する、(２)利用者１１５が呼び登録した階を、対応したかご呼び釦のＬＥＤを点灯して通知する、ことによる。
【００３３】
図６には本発明によるエレベータ制御システムにおける訪問者と被訪問者による訪問伺いと訪問許可に係わる動作を説明するための動作フローチャートを示し、以下、図に従って動作を説明する。まずステップＳ１では、訪問者住戸１１３で訪問者が自らの非接触ＩＣカードである認証媒体１０３を訪問伺い端末１０７にかざすと、訪問伺い端末１０７の非接触ＩＣカード読取部１０７８(図３参照)が訪問者の認証媒体１０３を読み取る。これにより認証媒体１０３に記憶した利用者すなわち訪問者の認証情報を読み出す。認証情報は、例えば利用者ごとに付与するＩＤ番号である。認証情報は利用者が記憶する暗証番号(ここではＩＤ番号と同じとする：以下同様)などでも良い。その場合、ステップＳ１では訪問者が訪問伺い端末１０７のキー入力部１０７２で利用者の暗証番号(認証情報)を入力する。
【００３４】
次にステップＳ２で、訪問者のキー操作により訪問伺い端末１０７のキー入力部１０７２から訪問先情報が入力される。訪問先情報とは、訪問先を特定する訪問先特定情報と、訪問内容を示す訪問内容情報からなる。訪問先を特定する情報は、例えば、訪問先の部屋番号、電話番号などの訪問先部屋番号を直接特定するもの、訪問先居住者の居住者名、電子メールアドレス、携帯電話番号など訪問先の居住者を介して訪問先部屋番号を特定するものである。また訪問内容を示す情報は、訪問予定日時、訪問予定期間、訪問予定回数、訪問目的、訪問者人数(同伴者も含めた訪問する予定人数)などである。訪問予定日時は、訪問予定の日時を示す。訪問予定期間と訪問予定回数は、訪問を予定する期間とその期間中の訪問回数を示す。訪問目的は訪問者が訪問する目的を示す。
【００３５】
次にステップＳ３で、訪問伺い端末１０７のインターフォン制御部１０７５は、これら認証情報と訪問先情報を含む訪問伺いメッセージ情報を作成し、有線通信部１０７６により通信装置１０６を介してセキュリティ制御装置１０５に送信する。この際、さらに訪問伺い端末１０７のインターフォン制御部１０７５は、セキュリティ制御装置１０５に対して、訪問伺い端末１０７の機器認証情報を送信するようにして、セキュリティ制御装置１０５が機器認証情報を認証するように構成しても良い。
【００３６】
ステップＳ４では、セキュリティ制御装置１０５の制御部１０５１(図２参照)は、端末通信部１０５６で受信した認証情報を元に正規の居住者であるか否かを認証する。居住者の認証は、認証情報すなわちＩＤ番号とセキュリティ制御装置１０５のデータ記憶部１０５３に予め格納されている図８に例示するような居住者情報テーブルに記録したデータに基づき行う。居住者情報テーブルは、居住者の認証媒体１０３のＩＤ番号、居住する部屋番号、居住階、居住者名、電子メールアドレスや端末番号などの端末情報、それ以外に電話番号など居住者に関する情報を記載する。制御部１０５１は、居住者情報テーブルにＩＤ番号のデータが存在するかを検索し、存在する場合、認証を成功としてステップＳ５を実行し、失敗した場合にはステップＳ６を実行する。
【００３７】
ステップＳ５では、訪問伺いの被訪問者が事前に訪問者から訪問伺いを受けることを拒否しているか否かを検査する。訪問伺いの受信拒否か否かは、ＩＤ番号と訪問伺いに記載された訪問先情報と、居住者情報テーブルと、この居住者情報テーブルと共にデータ記憶部１０５３に予め格納されている図９に例示した訪問伺い受信拒否リストに記録されたデータに基づき行う。訪問伺い受信拒否リストには、被訪問者の部屋番号と該被訪問者が拒否する訪問者の部屋番号である伺い拒否部屋番号が組み合わせて記録されている。制御部１０５１は、訪問者(居住者)のＩＤ番号で検索した居住者情報テーブルの情報から訪問者の部屋番号を求め、また訪問先情報で検索した居住者情報テーブルの情報から被訪問者の部屋番号を求め(訪問先情報の訪問先特定情報が部屋番号を直接含む場合もある)、訪問伺い受信拒否リストに基づき、訪問者と被訪問者の部屋番号により、訪問者に対する被訪問者の伺い受信拒否の有無を判定する。
【００３８】
ステップＳ６では、ステップＳ４の訪問者認証とステップＳ５の訪問伺い受信拒否の判定結果に基づき、訪問伺いの受付け結果を端末通信部１０５６から訪問伺い端末１０７の有線通信部１０７６に通信装置１０６を介して送信する。訪問者認証が成功し、訪問伺い受信拒否がなかった場合、訪問伺いを受理したことを通知し、いずれか１つが失敗した場合には、訪問伺い不受理を通知する。
【００３９】
次にセキュリティ制御装置１０５の制御部１０５１(図２参照)は、該被訪問者が今回の訪問を許可するか否かを問い合わせる工程を実行する。まずステップＳ７で、制御部１０５１は、被訪問者によって既に訪問伺いが事前に許可されているか否かを判定する。この事前許可判定は、訪問者のＩＤ番号とステップＳ５で算出した被訪問者の部屋番号とデータ記憶部１０５３に予め格納されている、図１０に例示した事前許可リストと訪問先情報により行う。事前許可リストは、許可を与える訪問者のＩＤ番号、訪問先の部屋番号である訪問部屋番号、許可する訪問者人数、訪問許可期間、訪問許可回数を含む。
【００４０】
まず、訪問者のＩＤ番号と被訪問者の部屋番号の組合せで事前許可リストを検索し、該当する事前許可の有無を判定し、該当する事前許可があれば、訪問先情報の訪問内容が、該事前許可の内容に合致又はその範囲内であることを判断し、合致又はその範囲内である場合には、事前許可リストの該当する事前許可を削除した後にステップＳ１２を実行し、そうでない場合に再度、訪問先情報の訪問内容に対して被訪問者の許可を受けるためにステップＳ８を実行する。
【００４１】
ステップＳ８では、セキュリティ制御装置１０５の制御部１０５１は、訪問者情報と訪問先情報を含む第２の訪問伺いメッセージ情報を作成してデータ記憶部１０５３に蓄積する。訪問者情報は、訪問者のＩＤ番号(認証情報)と居住者情報テーブルから求めた訪問者の部屋番号、居住者名を含む。そしてさらに、訪問伺いが存在することのメッセージ(訪問伺い存在メッセージ)を、端末通信部１０５６から通信装置１０６、訪問許可端末１０８の有線通信部１０７６を介して、蓄積された各第２の訪問伺いメッセージ情報の訪問先情報の被訪問者の訪問許可端末１０８へそれぞれ送信する。第２の訪問伺いメッセージ情報を作成して蓄積し、訪問伺い存在メッセージの送信を行っているのは、非インタラクティブ環境でも実現可能なようにするためのである。
【００４２】
ステップＳ９の前段階として、訪問許可端末１０８で、表示部１０７３での表示や音声入出力部１０７４での音による報知により訪問伺い存在メッセージを受信した被訪問者住戸１１４では、被訪問者が伺いを処理可能であれば、訪問許可端末１０８でメッセージに対して応答を行う。被訪問者が自らの認証媒体１０３を訪問許可端末１０８にかざすと、訪問許可端末１０８の非接触ＩＣカード読取部１０７８(図３参照)により被訪問者の認証媒体１０３の読み取りが行われる。これにより訪問許可端末１０８は認証媒体１０３に記憶した被訪問者の認証情報を読み出し、この認証情報を付けてセキュリティ制御装置１０５に読み出し要求を送信する。
【００４３】
セキュリティ制御装置１０５の制御部１０５１は、例えば居住者情報テーブル(図８)を参照して被訪問者の認証情報を認証し正当な被訪問者であれば、データ記憶部１０５３に蓄積された第２の訪問伺いメッセージ情報を参照して、該当する第２の訪問伺いメッセージを該訪問許可端末１０８へ送信する。なお認証情報は利用者すなわちここでは被訪問者が記憶する暗証番号等を入力するようにしてもよい。その場合、被訪問者が訪問許可端末１０８のキー入力部１０７２から、被訪問者の暗証番号を入力する。さらに訪問許可端末１０８は、セキュリティ制御装置１０５に対して認証情報とともに、訪問許可端末１０８の機器認証情報を送信するようにして、セキュリティ制御装置１０５が機器認証情報を認証するように構成しても良い。
【００４４】
ステップＳ９では、訪問許可端末１０８は、認証した被訪問者に対し、第２の訪問伺いメッセージ情報の訪問者情報と訪問先情報とを表示部１０７３で表示する。被訪問者は、訪問許可端末１０８に表示された訪問者の氏名や、訪問目的、訪問予定日時等から、まず今後、同じ訪問者からの訪問伺いの受信を拒否するか否かを判断し、結果を訪問許可端末１０８のキー入力部１０７２から入力する。次にステップＳ１０で、被訪問者は、訪問許可端末１０８に表示された訪問者の氏名や、訪問目的、訪問予定日時などから、該訪問を許可するか否か判断し、結果をキー入力部１０７２から入力する。次にステップＳ１１で、訪問許可端末１０８は、訪問伺いに対する回答として、訪問伺い受信拒否か否かと該訪問許可か否かを、セキュリティ制御装置１０５に送信する。なおこの送信される訪問許可か否かの回答には、被訪問者により読取りやキー入力で入力された認証情報が含まれる(以下同様)。
【００４５】
ステップＳ１２では、セキュリティ制御装置１０５は、受信した訪問伺い受信拒否か否かと該訪問許可か否かに基づき、訪問伺い受信拒否リスト(図９)と、同様にデータ記憶部１０５３に格納された図１１と図１２にそれぞれ例示された訪問許可リスト及び呼び登録許可テーブルを更新する。
【００４６】
図１１の訪問許可リストは、被訪問者が許可した訪問の条件を示すものであり、許可した訪問者のＩＤ番号、訪問を許可する階床を示す許可階床番号、許可する訪問者人数、訪問許可期間、訪問許可回数を含む。図１２の呼び登録許可テーブルは、利用者(訪問者、被訪問者)にかご呼びを許可した階床を記載するテーブルであり、認証媒体１０３に記録したＩＤ番号とＩＤ番号に対応する居住者の部屋番号(例えばＩＤ番号で居住者情報デーブルを検索して得る)と、この居住者に許可する呼び登録許可階を記録する。呼び登録許可階は、例えば”０”を書き込むと呼び登録不可であり、”１”を書き込むと初期設定による呼び登録可(例えば自らの居住階と玄関階)、”２”を書き込むと被訪問者が与えた許可によって呼び登録可であることをそれぞれ示す。
【００４７】
まず被訪問者の訪問伺い受信拒否か否かに基づき、拒否である場合に、訪問伺い受信拒否リスト(図９)に、被訪問者の部屋番号と拒否された訪問者の部屋番号を追記する。次に、訪問許可か否かに基づき、被訪問者が訪問を許可する場合に、蓄積された該第２の訪問伺いメッセージ情報に基づき訪問許可リスト(図１１)に、訪問者のＩＤ番号と、許可する階床番号、許可をした訪問者人数、訪問許可期間、訪問許可回数を追記する。さらに、訪問許可か否かに基づき、被訪問者が訪問を許可する場合に、呼び登録許可テーブル(図１２)に、訪問者のＩＤ番号について、被訪問者の居住階を示すデータが”０”(呼び登録不可)である場合に”２”(被訪問者が与えた許可によって呼び登録可)を書き込む。
【００４８】
次にステップＳ１３で、セキュリティ制御装置１０５は、上記結果に基づき伺い結果メッセージ情報を生成し、訪問伺い端末１０７へ送信させる。訪問伺い端末１０７では、結果が表示部１０７３に表示される。
【００４９】
図７は本発明によるエレベータ制御システムにおける訪問者による被訪問者の居住階の訪問の際の動作を説明するための動作フローチャートを示し、以下、図に従って動作を説明する。ステップＳ２１で、セキュリティ制御装置１０５の制御部１０５１は、読取機通信部１０５５を介して読取機１０４にかご１１０に乗車した利用者１１５の認証媒体１０３を読み取らせて認証情報を得る。この認証情報は、例えばＩＤ番号である。ステップＳ２２で制御部１０５１は、ＩＤ番号で呼び登録許可テーブル(図１２)を検索し、利用者１１５が呼び登録可能な呼び登録許可階の階床番号(即ち”１”または”２”が書き込んである階床)を取得し、エレベータ制御装置通信部１０５４からエレベータ制御装置１０１に対して、同階床のサービスカット解除を通知する。
【００５０】
ステップＳ２３で、エレベータ制御装置１０１は、サービスカット解除通知を受けた階床をサービスカット解除するとともに、かご呼び操作盤１０２の対応する階床のかご呼び釦１０２３〜１０２７(図５)を点滅させる。利用者１１５は、点滅したかご呼び釦の示す階床が呼び登録可能な階床であるので、その中から目的階を選択して、かご呼び釦を押して、呼び登録を行う。かご呼び釦により呼び登録を受けたエレベータ制御装置１０１は、ステップＳ２４で、この階床がサービスカット解除済みである場合に、目的階に決定する。それ以外の階床については、目的階としない。
【００５１】
次にステップＳ２５で、エレベータ制御装置１０１はセキュリティ制御装置１０５に、目的階への呼び登録が完了したことを目的階と共に通知し、ステップＳ２６で、扉を閉じて、目的階まで走行を開始する。
【００５２】
但しセキュリティ制御装置１０５は、ステップＳ２１〜Ｓ２６の間(扉を閉じるまで)で、かご１１０内の乗車人数をエレベータ制御装置１０１から受け、これが図１０，１１の事前許可リストや訪問許可リストの訪問者人数を超えた場合に、エレベータ制御装置１０１に通知して該呼び登録に基づく動作を停止させる。かご１１０内の乗車人数は、例えばかご１１０下部に設けられたかご１１０内の積載荷重を計測する秤等からなる搭載荷重計測器(図示せず)の出力より求める。
【００５３】
ステップＳ２７で、セキュリティ制御装置１０５の制御部１０５１は、利用者１１５の目的階を受けたことで、許可した呼び登録が正常に行われたことを確認し、許可に関する情報として、訪問許可リスト(図１１)と呼び登録許可テーブル(図１２)の情報の更新または削除を行う。具体的には、訪問許可リストについては、目的階となった階床が、呼び登録許可テーブルの対応するＩＤ番号の利用者１１５について、”２”(被訪問者が与えた許可によって呼び登録可)であった場合に、訪問許可リストを参照する。そして訪問許可リストで、利用者１１５のＩＤ番号に対応する訪問許可について、訪問許可回数を減算して更新し、また訪問許可期間が”０”(満了)となったら、訪問許可リストから該当する許可を削除するとともに、呼び登録許可テーブルの当該目的階の階床番号の部分を”０”(呼び登録不可)に更新する。
【００５４】
ステップＳ２８では、制御部１０５１は、目的階となった階床が、被訪問者が与えた許可によって呼び登録が可能になった階床であった場合に、訪問者の同階床への移動を、被訪問者の訪問許可端末１０８、あるいは目的階の階床に居住する全居住者の通信用端末に通知する。通知の手段は、例えば、電子メール(この場合はＩＰインターフォン)や、インターフォンの音声通話、表示又は音声通話と表示の組合せによる。これらの送信先は、居住者情報テーブルの端末情報から取得する。
【００５５】
訪問伺い端末１０７や訪問許可端末１０８からなる通信用端末が電子メール等も行えるＩＰインターフォンからなる場合、通信線ＣＯは後述する実施の形態のようにインターネット回線等に接続されている。
【００５６】
また制御部１０５１は、タイマ部１０５２のタイマ割り込みによって、所定の時間間隔で、訪問許可リスト(図１１)と呼び登録許可テーブル(図１２)を、監視、更新する。具体的には、訪問許可リストを参照して、各訪問許可について、訪問許可期間を読み出し、これがタイマの示す現在時刻よりも経過している場合に、訪問許可リストから該当する許可を削除するとともに、削除した許可が示した許可階床番号について、呼び登録許可テーブルの呼び登録許可階を”０”(呼び登録不可)に更新する。
【００５７】
なお、本実施の形態では、セキュリティ制御装置１０５が訪問許可リストと呼び登録許可テーブルからの訪問許可の削除を、被訪問者が許可した訪問許可リストの条件を超えた場合に行うこととしたが、これに加えて、被訪問者が訪問許可端末１０８で直接セキュリティ制御装置１０５にデータ記憶部１０５３に格納したリストやテーブルの訪問許可を、被訪問者が認証を受けた上で、任意のタイミングで削除を行えるように構成しても良い。
【００５８】
また、上記説明では、訪問許可の時間パラメータのひとつとして訪問許可期間があり、これを超えない範囲で訪問者の被訪問者の居住階への移動を許可している。これ以外の時間パラメータとして、訪問者の被訪問者居住階への最終訪問から次の訪問までの最大期間を規定する再訪問許可期間を訪問許可リストに設けても良い。再訪問許可期間を設けると、セキュリティ制御装置１０５は、訪問が訪問者の前回の訪問から再訪問許可期間内であれば訪問を許可し、これを超えた場合は訪問を許可しない制御を行う。
【００５９】
これによれば、本発明のシステムは、訪問者と被訪問者との関係が疎になると、自動的に訪問を禁止するように動作し、再度訪問したい場合は訪問者と被訪問者との間で再度、訪問伺いと訪問許可の手続きを実施することが求められる。再訪問許可期間を設けたシステムは、訪問許可時に訪問許可端末１０８から再訪問許可期間を入力するようにし、訪問許可リストに、再訪問許可期間と最終訪問日時を記録する。
【００６０】
また、図７のステップＳ２２において、セキュリティ制御装置１０５は、エレベータ制御装置１０１にサービスカット解除を通知する前に、ＩＤ番号と呼び登録許可テーブルとから利用者１１５が被訪問者が与えた許可によって呼び登録可となっている階床について、訪問許可リストから現在日時が最終訪問日時から再訪問許可期間を超えてないかを判定し、超えていなければ、該当階床についてもサービスカット解除を行い、超えていた場合には、サービスカット解除を行わない。サービスカット解除を行わない場合、訪問許可は無効であるので、以降の訪問を禁止するために、セキュリティ制御装置１０５が訪問許可リストと呼び登録許可テーブルから該当する訪問許可を削除する。
【００６１】
実施の形態２．
本実施の形態においては、図１の通信用端末である訪問伺い端末１０７と訪問許可端末１０８が、図１３に示すようにそれぞれ、コンピュータ装置１０７ａ，１０８ａとカード読取機１０７ｂ，１０８ｂの構成をとる。これは他の住戸の通信用端末につても同様である。なお図中、上記実施の形態と同一もしくは相当部分は同一又は同じ数字の符号で示す。
【００６２】
図１３において、コンピュータ装置１０７ａ，１０８ａは、キー入力部１０７２ａ、表示部１０７３ａ、コンピュータ制御部１０７５ａａ、プログラム記憶部１０７５ａｂ、有線通信部１０７６ａ、データ記憶部１０７７ａを含む。キー入力部１０７２ａは、利用者１１５が操作するキーであり、数字や文字、入力対象の変更などの入力を受け付ける。表示部１０７３ａは、利用者１１５に伝える情報を表示する。コンピュータ制御部１０７５ａａは、プログラム記憶部１０７５ａｂに記憶したプログラムに基づく処理を行い、またデータ記憶部１０７７ａのデータの書き込みや読み出し、キー入力部１０７２ａ、表示部１０７３ａ、有線通信部１０７６ａやカード読取機１０７ｂ，１０８ｂに対する入出力処理を行う。有線通信部１０７６ａは、セキュリティ制御装置１０５とのデータ送受信を行う。データ記憶部１０７７ａは、コンピュータ制御部１０７５ａａの演算結果を記憶する。
【００６３】
カード読取機１０７ｂ，１０８ｂは、非接触ＩＣカード読み取り部１０７８ａを含む。非接触ＩＣカード読み取り部１０７８ａは、認証媒体１０３に格納した利用者の認証情報を読み取りする。コンピュータ装置１０７ａ，１０８ａとカード読取機１０７ｂ，１０８ｂは、ＰＣＩ、ＰＣＭＣＩＡ、ＲＳ２３２やＵＳＢなどのコンピュータの入出力インタフェースを介して接続されている。
【００６４】
そして、キー入力部１０７２ａ、表示部１０７３ａ、コンピュータ制御部１０７５ａａとプログラム記憶部１０７５ａｂ、有線通信部１０７６ａ、データ記憶部１０７７ａ、非接触ＩＣカード読み取り部１０７８ａは、実施の形態１の図３のキー入力部１０７２、表示部１０７３、インターフォン制御部１０７５、有線通信部１０７６、１０７データ記憶部１０７７、非接触ＩＣカード読取部１０７８とそれぞれ同等の機能を有し、同様な動作、処理を行う。
【００６５】
このように、マンションの各住戸にある通信用端末をコンピュータ装置とカード読取機で構成しても、同様な機能を備えたシステムを構築することができる。
【００６６】
実施の形態３．
図１４は本実施の形態によるエレベータ制御システムの構成図である。本実施の形態では図１に示す実施の形態１の通信用端末である訪問伺い端末１０７と訪問許可端末１０８は、携帯電話端末(訪問伺い)１０７ｃと携帯電話端末(訪問許可)１０８ｃで構成する。これは他の住戸の通信用端末につても同様である。なお図中、上記実施の形態と同一もしくは相当部分は同一又は同じ数字の符号で示す。
【００６７】
携帯電話端末(訪問伺い)１０７ｃは、実施の形態１の訪問伺い端末１０７と同様に、訪問者が操作する端末であり、被訪問者の居住する階床に関連付けた情報と訪問者自身に関連付けた情報とから、被訪問者の居住する階床への訪問伺いを作成し、セキュリティ制御装置１０５に送信する。また携帯電話端末(訪問許可)１０８ｃは、実施の形態１の訪問許可端末１０８と同様に、被訪問者が操作する端末であり、セキュリティ制御装置１０５から、訪問伺いを受信して、伺いに対する結果を作成して、セキュリティ制御装置１０５に送信する。
【００６８】
また、携帯電話端末(訪問伺い)１０７ｃと携帯電話端末(訪問許可)１０８ｃは、非接触ＩＣカード機能部を搭載した携帯電話端末であり、訪問伺いや訪問許可の作成を行うとともに、かご１１０内においては、内蔵した非接触ＩＣカード機能部のため認証情報の読み取りが読取機１０４ｃにより行われ、認証媒体として動作する。利用者１１５は、これら携帯電話端末を携行することにより、非接触ＩＣカードなどの別の認証媒体を持つ必要がなく、移動先でも訪問伺いや訪問許可を作成、送信することができる。セキュリティ制御装置１０５と各携帯電話端末１０７ｃ，１０８ｃは、携帯電話回線１１８ａとインターネット回線１１８ｂとを介して接続されている。
【００６９】
本実施の形態のエレベータシステムが適用された集合住宅であるマンション１０９は、エレベータ制御装置１０１とセキュリティ制御装置１０５は、エレベータ制御盤１１１に設置されている。かご呼び操作盤１０２、携帯電話端末の非接触ＩＣカード機能部のための読み取り機能を有する読取機１０４ｃは、かご１１０内に設置されている。これらの機能は上記実施の形態で説明したものと基本的に同じである。なお、読取機１０４ｃは携帯電話端末の非接触ＩＣカード機能部のためのデータの読み取りと書き込みを行うリーダライタであってもよい。
【００７０】
インターネット通信装置１０６ｃは、インターネット回線１１８ｂに、セキュリティ制御装置１０５を接続するための通信装置である。インターネット通信装置１０６ｃは、セキュリティ制御装置１０５、携帯電話端末(訪問伺い)１０７ｃと携帯電話端末(訪問許可)１０８ｃ間の訪問伺いや伺いに対する結果などのメッセージ通信を伝達するもので、共用設備盤１１２に設置されている。
【００７１】
図１５は図１４の携帯電話端末(訪問伺い)１０７ｃと携帯電話端末(訪問許可)１０８ｃの構成を例示した図である。携帯電話端末１０７ｃ，１０８ｃはキー入力部１０７２ｃ、表示部１０７３ｃ、音声入出力部１０７４ｃ、携帯電話端末制御部１０７５ｃ、電源制御部１０７９ａ、電話制御部１０７９ｂ、無線通信部１０７６ｃ、データ記憶部１０７７ｃ、非接触ＩＣカード機能部１０７８ｃを含む。すなわち非接触ＩＣカード機能を搭載した携帯電話からなる。なお図中、上記実施の形態と同一もしくは相当部分は同一又は同じ数字の符号で示す。
【００７２】
キー入力部１０７２ｃでは、訪問伺いの作成における訪問先に関連した情報や、利用者が電話をかける相手先電話番号や、電話帳から相手先を選択するための入力が行われる。認証情報であるＩＤ番号の入力が行われる場合もある。表示部１０７３ｃは、入力の指示や入力結果、着信など携帯電話端末の状態を、液晶ディスプレイなどの画面に文字、絵、アイコンを表示することより利用者に通知する。
【００７３】
音声入出力部１０７４ｃは、電話回線による通話のための音声の入力や出力、あるいは音声ガイダンスの出力、音声による操作のための入力など、音声を入力あるいは出力する。携帯電話端末制御部１０７５ｃは、予め記憶したプログラムに基づき演算、データの記憶、読み出し、入出力処理等、携帯電話端末全体の制御を行う。
【００７４】
電源制御部１０７９ａは、表示部１０７３ｃの電源オフなどの低消費電力モードへの移行、通常モードへの復帰、残電力量の測定などを行う。電話制御部１０７９ｂは、携帯電話端末同士の通話のための電話回線の接続、維持、切断を行う。無線通信部１０７６ｃは、携帯電話同士の通話及び携帯電話網を使ったデータ通信のための無線基地局との通信確立、維持、切断、また音声の変換、無線通信を介したデータの送受信を行う。
【００７５】
データ記憶部１０７７ｃは、携帯電話端末制御部１０７５ｃの演算結果や、電話帳や着信・発信履歴などのユーザデータ、文字、絵、アイコンなどの機器データ、を記憶する。非接触ＩＣカード機能部１０７８ｃは、非接触ＩＣカードの機能を携帯電話端末に搭載したもので、非接触ＩＣカード機能部１０７８ｃでの記憶したデータは、読取機１０４ｃ等からなる外部の非接触ＩＣカードリーダライタや、これを搭載した別の携帯電話端末から読み書きされる。これら非接触ＩＣカード機能部１０７８ｃ外部からの非接触ＩＣカード機能部１０７８ｃへのアクセスに際して、非接触ＩＣカード機能部１０７８ｃが利用者認証を行うように構成しても良い。この場合、非接触ＩＣカード機能部１０７８ｃは、利用者１１５の入力するＰＩＮ(Ｐｅｒｓｏｎａｌ Ｉｄｅｎｔｉｆｉｃａｔｉｏｎ Ｎｕｍｂｅｒ)を受け取り、非接触ＩＣカード機能部１０７８ｃ内部に保存したＰＩＮと照合して合致した場合にアクセスを許可する。
【００７６】
なお、図１５のキー入力部１０７２ｃ、表示部１０７３ｃ、音声入出力部１０７４ｃ、携帯電話端末制御部１０７５ｃ、無線通信部１０７６ｃ、データ記憶部１０７７ｃ、非接触ＩＣカード機能部１０７８ｃの機能が、図３のキー入力部１０７２、表示部１０７３、音声入出力部１０７４、インターフォン制御部１０７５、有線通信部１０７６、データ記憶部１０７７、非接触ＩＣカード読取部１０７８の機能にそれぞれ対応する。
【００７７】
本実施の形態で、携帯電話端末(訪問伺い)１０７ｃと携帯電話端末(訪問許可)１０８ｃの動作を、訪問者と被訪問者による訪問伺いと訪問許可の工程を図６に基づき、また訪問者による被訪問者の居住階の訪問の工程を図７に基づき説明する。
【００７８】
訪問者と被訪問者による訪問伺いと訪問許可の工程のうち、携帯電話端末(訪問伺い)１０７ｃのステップＳ１〜Ｓ３の工程を次に示す。
【００７９】
まずステップＳ１で、訪問者の携帯電話端末(訪問伺い)１０７ｃは、非接触ＩＣカード機能部１０７８ｃの利用者の認証情報(訪問者のＩＤ番号)を読み出す。その際、利用者１１５がキー入力部１０７２ｃによりＰＩＮを入力して、非接触ＩＣカード機能部１０７８ｃのＰＩＮ認証を解除する。次にステップＳ２で、携帯電話端末(訪問伺い)１０７ｃに、利用者１１５はキー入力部１０７２ｃにより訪問先情報を入力する。次にステップＳ３で、携帯電話端末(訪問伺い)１０７ｃの携帯電話端末制御部１０７５ｃは、これら認証情報と訪問先情報を含む訪問伺いメッセージ情報を作成し、無線通信部１０７６ｃからセキュリティ制御装置１０５に送信する。
【００８０】
訪問者と被訪問者による訪問伺いと訪問許可の工程のうち、携帯電話端末(訪問許可)１０８ｃのステップＳ９〜Ｓ１１の工程を次に示す。
【００８１】
ステップＳ９〜Ｓ１０で、携帯電話端末(訪問許可)１０８ｃでは、訪問者情報と訪問先情報とを表示部１０７３ｃで表示する。そして被訪問者は、これらの情報から上記実施の形態と同様にして訪問伺い受信拒否か否かと該訪問許可か否かを判断して、結果をキー入力部１０７２ｃから入力する。次にステップＳ１１で、携帯電話端末(訪問許可)１０８ｃは、訪問伺いに対する回答として、訪問伺い受信拒否か否かと該訪問許可か否かを、セキュリティ制御装置１０５に送信する。
【００８２】
この時、携帯電話端末(訪問許可)１０８ｃは、セキュリティ制御装置１０５から被訪問者が正しい被訪問者であるかの認証を受けるように、利用者１１５がキー入力部１０７２ｃに入力したＰＩＮにより非接触ＩＣカード機能部１０７８ｃのＰＩＮ認証を解除し、非接触ＩＣカード機能部１０７８ｃから被訪問者の認証情報を読み出し、セキュリティ制御装置１０５に、訪問伺いに対する回答とともに読み出した認証情報を送信してもよい。被訪問者の認証情報の認証は、セキュリティ制御装置１０５がステップＳ１２で行うようにする。
【００８３】
訪問者と被訪問者による訪問伺いと訪問許可の工程のうち、携帯電話端末(訪問許可)１０８ｃのステップＳ１３の工程を次に示す。
【００８４】
最後にステップＳ１３で、セキュリティ制御装置１０５は、伺い結果メッセージ情報を生成し、携帯電話端末(訪問伺い)１０７ｃへ送信させる。携帯電話端末(訪問伺い)１０７ｃでは、結果を表示器１０７３ｃが表示する。
【００８５】
訪問者による被訪問者の居住階の訪問の工程のうち、携帯電話端末(訪問伺い)１０７ｃのステップＳ２１とステップＳ２８の工程を次に示す。
【００８６】
ステップＳ２１で、セキュリティ制御装置１０５は、読取機１０４ｃにかご１１０に乗車した利用者１１５の携帯電話端末(訪問伺い)１０７ｃの非接触ＩＣカード機能部１０７８ｃに格納された認証情報を読み取らせて認証情報を得る。
【００８７】
ステップＳ２８においては、セキュリティ制御装置１０５は、目的階となった階床が、被訪問者が与えた許可によって呼び登録が可能になった階床であった場合に、訪問者の同階床への移動を、被訪問者の携帯電話端末(訪問許可)１０８ｃ、あるいは目的階の階床に居住する全居住者の携帯電話端末に通知する。通知の手段は、例えば、電子メールや、携帯電話網のショートメッセージによる。あるいは、通知は、図１に示したような各住戸に上記実施の形態で説明したようなインターフォン子機やコンピュータからなる第２の通信用端末を備えて、被訪問者の第２の通信用端末、あるいは目的階の階床に居住する全居住者の第２の通信用端末に、電子メールやインターフォンの音声通話、表示又は音声通話と表示の組合せなどで同報するようにしても良い。
なおその他の部分については、実施の形態１に示す通りに動作する。
【００８８】
実施の形態４．
本実施の形態では、実施の形態１の訪問者と被訪問者による訪問伺いと訪問許可の工程と、異なる方法を示す。本実施の形態では、訪問者と被訪問者が、認証媒体をエレベータかご内の読取機に読み取らせてから、かご呼び操作盤のかご呼び釦を操作することで、訪問者の訪問伺いと被訪問者による訪問許可を完了する。このとき与える訪問許可の内容は予め決まったものとなり、予め決める訪問許可内容は、例えば当日中に一回のみの訪問や、１週間以内に回数上限なく訪問等となる。
【００８９】
図１６は本実施の形態によるエレベータ制御システムの構成図である。図中、上記実施の形態と同一もしくは相当部分は同一又は同じ数字の符号で示す。マンション１０９のかご１１０には、かご呼び操作盤１０２と読取機１０４ｄが、エレベータ制御盤１１１には、エレベータ制御装置１０１とセキュリティ制御装置１０５がそれぞれ設けられている。なお、各住戸等の図示は省略されている。
【００９０】
エレベータ制御装置１０１は、エレベータ制御用の各種センサからの入力や、各階床の乗場に設けられた乗場呼び操作盤の乗場呼び釦やかご１１０内のかご呼び操作盤１０２のかご呼び釦等の利用者１１５の釦操作による呼び登録のための入力に基づき、かごの昇降、扉の開閉、インジケータの点灯制御等、エレベータ全体の運転制御を行う。
【００９１】
またこの実施の形態ではエレベータ制御装置１０１はさらに、利用者のかご呼び釦操作から訪問伺いと訪問許可を認識した場合の、同要求のセキュリティ制御装置１０５への通知を行う。かご呼び操作盤１０２は、利用者がエレベータの目的階を指示し、また訪問伺いと訪問許可を指示するかご呼び釦を含む入力装置であると同時に、利用者に応じて呼び登録可能な階床を利用者に通知、または呼び登録した階を決定した目的階を表示や音声で通知する出力装置である。
【００９２】
訪問者１１５ａは、エレベータを利用して被訪問者１１５ｂの居住する階床を訪問する。訪問者１１５ａと被訪問者１１５ｂの居住する階床は異なる。訪問者１１５ａの携帯する認証媒体(訪問伺い)１０３ａは、訪問者１１５ａの認証情報を格納する。被訪問者１１５ｂが携帯する認証媒体(訪問許可)１０３ｂは、被訪問者１１５ｂの認証情報を格納する。読取機１０４ｄはこれらの認証媒体１０３ａ、１０３ｂに格納されたそれぞれの認証情報の読み取りをする。
【００９３】
セキュリティ制御装置１０５は、利用者からの訪問伺いと訪問許可に際し、利用者の呼び登録許可階の更新を行うとともに、エレベータの運行に際し、読取機１０４を介した認証媒体１０３ａ，１０３ｂの読み取りによる利用者の認証、利用者の呼び登録許可階に基づくエレベータ制御装置１０１へのサービスカット解除指示などを行う。このセキュリティ制御装置１０５の構成は、図２に例示した構成の端末通信部１０５６のないものである。
【００９４】
図１７は、この実施の形態における訪問者と被訪問者による訪問伺いと訪問許可の工程に係わる動作フローチャートを示し、以下、図に従って動作を説明する。まずステップＳ３１で、セキュリティ制御装置１０５が読取機１０４を介して、訪問者１１５ａの携行する認証媒体(訪問伺い)１０３ａの認証情報を読み取る。次にステップＳ３２で、セキュリティ制御装置１０５が読取機１０４を介して、被訪問者１１５ｂの携行する認証媒体(訪問許可)１０３ｂの認証情報を読み取る。
【００９５】
訪問者１１５ａまたは被訪問者１１５ｂがかご呼び操作盤１０２のかご呼び釦(図示せず)に対して、釦の組合せ押しを行うと、ステップＳ３３で、エレベータ制御装置１０１はこの組合せ押しを訪問者１１５ａと被訪問者１１５ｂによる訪問伺いと訪問許可と認識して、ステップＳ３４で、セキュリティ制御装置１０５に対して、訪問者１１５ａと被訪問者１１５ｂの訪問伺いと訪問許可の処理要求があったことを通知(送信)する。
【００９６】
かご呼び操作盤１０２のかご呼び釦の釦の組合せ押しとは、例えば、複数のかご呼び釦の同時押し(例えば図５の４つのかご呼び釦(１)１０２３〜(４)１０２６を同時に押す等)や、繰り返し押し(例えばかご呼び釦(１)１０２３を５回押す等)や、規則押し(例えばかご呼び釦(１)１０２３〜(４)１０２６を順に押して、さらに逆順にもう一度押す等)などの、通常の呼び登録で行わない釦操作である。また釦の組合せ押しでなく、専用の訪問伺い釦と訪問許可釦を設けて(図示せず)、ステップＳ３３でこれらの専用釦が押されたことを検出するように構成してもよい。
【００９７】
さらにステップＳ３１〜Ｓ３４のセキュリティ制御装置１０５に対して、訪問者１１５ａと被訪問者１１５ｂの訪問伺いと訪問許可の処理要求を通知する過程は、かご呼び操作盤１０２のかご呼び釦の釦の組合せ押しを使わず、認証媒体(訪問許可)１０３ｂと認証媒体(訪問伺い)１０３ａとの読み取り順に基づく、次のような方法で行っても良い。まず、ステップＳ３１で、セキュリティ制御装置１０５が読取機１０４を介して、被訪問者１１５ｂの携行する認証媒体(訪問許可)１０３ｂの認証情報を読み取る。次に、ステップＳ３２で、セキュリティ制御装置１０５が読取機１０４を介して、訪問者１１５ａの携行する認証媒体(訪問伺い)１０３ｂの認証情報を読み取る。
【００９８】
次にステップＳ３３でセキュリティ制御装置１０５が読取機１０４を介して、被訪問者１１５ｂの携行する認証媒体(訪問許可)１０３ｂの認証情報を読み取ると、ステップＳ３４でセキュリティ制御装置１０５は、認証媒体(訪問許可)１０３ｂの最初と最後の読み取りの間に読み取った認証媒体(訪問許可)１０３ｂと認証媒体(訪問伺い)１０３ａの読み取り順から、訪問者１１５ａと被訪問者１１５ｂの訪問伺いと訪問許可の処理要求であると認識する。つまりセキュリティ制御装置１０５は、最後に読み取ったカードが最初のカードと同一のカードであれば、訪問伺いと訪問許可の処理モードに移り、その間に読み取ったカードの訪問伺いと最初に読み取ったカードからの訪問許可の処理要求が、訪問者１１５ａと被訪問者１１５ｂとの間でなされたものと判断する。
【００９９】
かご呼び操作盤１０２のかご呼び釦の釦の組合せ押しか、認証媒体(訪問許可)１０３ｂと認証媒体(訪問伺い)１０３ａとの読み取り順に基づく、訪問者１１５ａと被訪問者１１５ｂの訪問伺いと訪問許可の処理要求を通知する過程により、この時点で訪問者１１５ａと被訪問者１１５ｂ間で訪問が合意されている。よってステップＳ３６では、セキュリティ制御装置１０５は、訪問者１１５ａと被訪問者１１５ｂの認証情報をそれぞれ、居住者情報テーブル(図８に構造を示す)と比較し、登録済みの居住者であることを認証したうえで、認証が成功した場合に、訪問許可リスト(図１１)と、呼び登録許可テーブル(図１２)を更新する。なお、被訪問者の居住階すなわち呼び登録許可階は居住者情報テーブルより確認できる。
【０１００】
図１１に例示する訪問許可リストには、訪問者のＩＤ番号と、許可する階床番号、許可をする訪問者人数、訪問許可期間、訪問許可回数を追記する。許可をする訪問者人数、訪問許可期間、訪問許可回数は、事前の規定に基づき決定する。図１２に例示する呼び登録許可テーブルは、訪問者１１５ａのＩＤ番号について(部屋番号を追加してもよい)、被訪問者１１５ｂの居住階を示すデータが”０”(呼び登録不可)である場合に”２”(被訪問者が与えた許可によって呼び登録可)を書き込む。
【０１０１】
次にステップＳ３７で、セキュリティ制御装置１０５は、エレベータ制御装置１０１に訪問伺いの結果を送信し、ステップＳ３８でエレベータ制御装置１０１は、図５に例示したかご呼び操作盤１０２のかご呼び釦の点灯等により伺い結果を表示する。かご呼び釦への伺い結果の表示は、かご呼び釦の点灯を組み合わせて行う。例えば１つ以上のかご呼び釦の規定回数の点滅や、規則的な釦の点灯(例えばかご呼び釦(１)１０２３〜(４)１０２６を順に点灯・消灯して、さらに逆順にもう点灯・消灯を繰り返す等)などの、通常の運行状態と区別可能な表示方法である。またかご呼び釦の組合せ表示でなく、専用の伺い結果の表示ランプを設けて、ステップＳ３８で専用ランプを点灯するように構成しても良い。さらにかご内にエレベータ制御装置１０１が制御する音声発生装置(図示省略)を設け、ステップＳ３８でエレベータ制御装置１０１は、伺い結果を音声発生させるように構成しても良い。
【０１０２】
実施の形態５．
本実施の形態のエレベータ制御システムは、認証情報に対応する呼び登録許可階を記憶しており、読取機から認証媒体内の認証情報を読み込み、読み込んだ認証情報に対応する呼び登録許可階と訪問者人数とから、利用者の目的階が呼び登録許可階であって、かつ、かごに乗車した人数が許可された訪問者人数以下である場合に、目的階への呼び登録を実行する。
【０１０３】
図１８はこの実施の形態における訪問者と同伴者による被訪問者の居住階への訪問の工程に係わる動作フローチャートを示し、以下、図に従って動作を説明する。なおエレベータ制御システムの構成は、上記実施の形態１〜３の構成のいずれのものでもよい。訪問者は実施の形態１で示した訪問者と被訪問者による訪問伺いと訪問許可の工程により、被訪問者から訪問の許可を受けている。また訪問者と同伴者はそれぞれに認証媒体を携行しており、乗場階で戸開したかご１１０に乗車する。
【０１０４】
まずステップＳ４１で、エレベータ制御装置１０１は戸閉し、セキュリティ制御装置１０５に戸閉を通知する。次にステップＳ４２で、セキュリティ制御装置１０５は、かご１１０に乗車した訪問者の認証媒体に格納した認証情報を、読取機１０４を介して読み取る。さらにステップＳ４３において、セキュリティ制御装置１０５は、同伴者全員分の認証媒体に格納した認証情報を、読取機１０４を介して読み取り、訪問者全員の人数をカウントする。
【０１０５】
ステップＳ４４では、訪問者がかご呼び操作盤１０２のかご呼び釦を押して、エレベータ制御装置１０１に対して目的階への呼び登録を要求すると、エレベータ制御装置１０１は、この階床を仮目的階としてセキュリティ制御装置１０５に通知する。
【０１０６】
ステップＳ４５では、セキュリティ制御装置１０５は、認証情報と図１２に示す呼び登録許可テーブルとから該訪問者の呼び登録可能階(階床番号)を取得して仮目的階が呼び登録可能であるかを判定(審査)し、次に図１１に示す訪問許可リストに該仮目的階への呼び登録許可に訪問者人数の設定が有る場合に、ステップＳ４３でカウントした訪問者人数が設定を超えないことを判定(審査)して、両方の条件が成立する場合に、仮目的階を目的階と決定する。
【０１０７】
次にセキュリティ制御装置１０５はステップＳ４６で、ステップＳ４５で決定した乗客の呼び登録許可階である目的階について、エレベータ制御装置１０１に同階床のサービスカット解除と目的階決定を通知する。エレベータ制御装置１０１はステップＳ４７で、目的階のサービスカット解除と目的階への走行を実施する。セキュリティ制御装置１０５は、許可した呼び登録が正常に行われたので、ステップＳ４８で、許可に関する情報として、訪問許可リストと呼び登録許可テーブルの情報の更新または削除を行う。
【０１０８】
従ってステップＳ４５で目的階と訪問者人数の条件のいずれか、または両方が成立しない場合、エレベータ制御装置１０１は目的階へ走行せず戸開し、またセキュリティ制御装置１０５はステップＳ４８の許可に関する情報更新を実行しない。
【０１０９】
なお、この発明は上記の実施の形態に限定されるものでなく、これらに含まれる特徴の可能な組合せも含むことは云うまでもない。
【図面の簡単な説明】
【０１１０】
【図１】本発明の一実施の形態によるエレベータ制御システムの構成図である。
【図２】図１のセキュリティ制御装置の構成の一例を示す図である。
【図３】図１の通信用端末である訪問伺い端末及び訪問許可端末の構成の一例を示す図である。
【図４】図１の認証媒体の構成の一例を示す図である。
【図５】図１のかご呼び操作盤の構成の一例を示す図である。
【図６】本発明によるエレベータ制御システムにおける訪問者と被訪問者による訪問伺いと訪問許可に係わる動作を説明するための動作フローチャートである。
【図７】本発明によるエレベータ制御システムにおける訪問者による被訪問者の居住階の訪問の際の動作を説明するための動作フローチャートである。
【図８】本発明における居住者情報テーブルの一例を示す図である。
【図９】本発明における訪問伺い受信拒否リストの一例を示す図である。
【図１０】本発明における事前許可リストの一例を示す図である。
【図１１】本発明における訪問許可リストの一例を示す図である。
【図１２】本発明における呼び登録許可テーブルの一例を示す図である。
【図１３】本発明の実施の形態２における通信用端末の構成の一例を示す図である。
【図１４】本発明の実施の形態３によるエレベータ制御システムの構成図である。
【図１５】本発明の実施の形態３における通信用端末の構成の一例を示す図である。
【図１６】本発明の実施の形態４によるエレベータ制御システムの構成図である。
【図１７】本発明の実施の形態４によるエレベータ制御システムにおける訪問者と被訪問者による訪問伺いと訪問許可に係わる動作を説明するための動作フローチャートである。
【図１８】本発明の実施の形態５によるエレベータ制御システムにおける訪問者と同伴者による被訪問者の居住階への訪問の際の動作を説明するための動作フローチャートである。
【符号の説明】
【０１１１】
１０１  エレベータ制御装置、１０２  かご呼び操作盤、１０３，１０３ａ，１０３ｂ  認証媒体、１０４，１０４ｃ，１０４ｄ  読取機、１０５  セキュリティ制御装置、１０６  通信装置、１０６ｃ  インターネット通信装置、１０７  訪問伺い端末、１０７ａ，１０８ａ  コンピュータ装置、１０７ｂ，１０８ｂ  カード読取機、１０７ｃ，１０８ｃ  携帯電話端末、１０８  訪問許可端末、１０９  マンション、１１０  エレベータかご、１１１  エレベータ制御盤、１１２  共用設備盤、１１３  訪問者住戸、１１４  被訪問者住戸、１１５  利用者、１１５ａ  訪問者、１１５ｂ  被訪問者、１１８ａ  携帯電話回線、１１８ｂ  インターネット回線。
【図１】
2008114950.tif 000003
【図２】
2008114950.tif 000004
【図３】
2008114950.tif 000005
【図４】
2008114950.tif 000006
【図５】
2008114950.tif 000007
【図６】
2008114950.tif 000008
【図７】
2008114950.tif 000009
【図８】
2008114950.tif 000010
【図９】
2008114950.tif 000011
【図１０】
2008114950.tif 000012
【図１１】
2008114950.tif 000013
【図１２】
2008114950.tif 000014
【図１３】
2008114950.tif 000015
【図１４】
2008114950.tif 000016
【図１５】
2008114950.tif 000017
【図１６】
2008114950.tif 000018
【図１７】
2008114950.tif 000019
【図１８】
2008114950.tif 000020